(57)【特許請求の範囲】
【請求項１】
石質系素材で形成された波形スレートが敷設された屋根へ、太陽光発電パネルユニット及び該太陽光発電パネルユニットを支持するパネルフレームを取り付ける作業に用いる設置器具であって、該太陽光発電パネルユニットの設置器具は、波形スレート上へ設置する架台部材と、該架台部材を波形スレートが敷設された屋根に接続するために使用される複数の固定具と、を備えており、
前記架台部材は、
板状の天板部と、
前記天板部の周縁に設けられ、波形スレート上に架台部材を設置した際に、波形スレートのいずれかの箇所と当接又は係合するズレ防止部と、
前記天板部上面に突出するパネルフレーム取付体と、
前記天板部のパネルフレームと当接する箇所に設けられた補強部と、
架台部材のいずれかの箇所に設けられた固定具の挿通孔と、
を備えており、
前記補強部は、パネルフレームが揺動した際の架台部材の撓みを防止すべく、天板部の他の部分よりも肉厚であるか又は補強要素を付加して形成されており、
前記の各固定具は、ネジ部材と、該ネジ部材と一体となった封止部又は該ネジ部材と分離可能な封止体と、を備え、波形スレートが敷設された屋根への螺着に伴って、封止部又は封止体が天板部上面側へ押圧され、架台部材に設けられた固定具の挿通孔及びその周辺と当接して固定具の挿通孔を水密にするように構成されている、
太陽光発電パネルユニットの設置器具。
【請求項２】
石質系素材で形成された波形スレートが敷設された屋根へ、太陽光発電パネルユニット及び該太陽光発電パネルユニットを支持するパネルフレームを取り付ける作業に用いる設置器具であって、該太陽光発電パネルユニットの設置器具は、波形スレート上へ設置する架台部材と、該架台部材を波形スレートが敷設された屋根に接続するために使用される複数の固定具と、を備えており、
前記架台部材は、
板状の天板部と、
前記天板部の周縁に設けられ、波形スレート上に架台部材を設置した際に、波形スレートのいずれかの箇所と当接又は係合するズレ防止部と、
前記天板部に形成されたパネルフレーム取付体の挿通孔と、
前記挿通孔に挿入され、架台部材から着脱可能なパネルフレーム取付体と、
前記天板部上面へ着脱可能に設けられた補強部材と、
前記架台部材のいずれかの箇所に設けられた固定具の挿通孔と、
を備えており、
前記パネルフレーム取付体の挿通孔は、挿入後のパネルフレーム取付体が移動して位置調整が可能な形状に形成されており、
前記パネルフレーム取付体は、ネジ部材であって、前記パネルフレーム取付体の挿通孔に挿入されて天板部の底面側から上面側へネジ部分が突出するように取着され、
前記補強部材は、中央部にパネルフレーム取付体のネジ孔が形成された板状体であって、その寸法がパネルフレームが載置された際に当接した該パネルフレーム底部の短手方向よりも幅広であって、且つ、天板部へ取着した際に該補強部材が重なった箇所の厚みが天板部の他の上面よりも厚くなるように設けられており、
パネルフレーム取付体を、天板部の底面側からパネルフレーム取付体の挿通孔に挿入し且つ補強部材のネジ孔に螺合させて固く締着させることによって天板部上面におけるパネルフレーム取付体及び補強部材の取付位置が固定でき、また、締着を緩めた際にはパネルフレーム取付体の挿通孔に沿ってパネルフレーム取付体及び補強部材をスライドさせることによってパネルフレーム取付体及び補強部材の位置調整が可能に構成されており、
前記の各固定具は、ネジ部材と、該ネジ部材と一体となった封止部又は該ネジ部材と分離可能な封止体と、を備え、波形スレートが敷設された屋根への螺着に伴って、封止部又は封止体が天板部上面側へ押圧され、架台部材に設けられた固定具の挿通孔及びその周辺と当接して固定具の挿通孔を水密にするように構成されている、
太陽光発電パネルユニットの設置器具。
【請求項３】
ズレ防止部が、天板部の周縁のうち対向する一対の縁部が天板の水平面よりも下り傾斜する形状であって、波形スレート上に架台部材を設置した際に、各ズレ防止部が波形スレートの傾斜部分と当接するように構成されている、
請求項１又は２記載の太陽光発電パネルユニットの設置器具。
【請求項４】
パネルフレームを備えた、請求項１又は２記載の太陽光発電パネルユニットの設置器具であって、
前記パネルフレームは、各架台部材の天板部上に載置され且つ各架台部材の短手方向へ横架して取着される棒状体であって、該パネルフレームのいずれかの箇所に前記パネルフレーム取付体を取着可能な取付孔が形成され、該取付孔は挿入後のパネルフレーム取付体が移動して位置調整が可能な形状に形成されている、
太陽光発電パネルユニットの設置器具。
【請求項５】
固定具の挿通孔は、架台部材の天板部に設けられ、該固定具の挿通孔は挿入後の固定具が移動して位置調整が可能な形状に形成されている、
請求項１乃至４のいずれか一項に記載の、太陽光発電パネルユニットの設置器具。
【請求項６】
石質系素材で形成された波形スレートにより構成された既設の屋根への太陽光発電装置の設置方法であって、
前記太陽光発電装置は、
太陽光発電パネルユニットと、
太陽光発電パネルユニットと屋根の間に配置されて太陽光発電パネルユニットを波形スレート上に取着する請求項１乃至５のいずれか一項に記載の太陽光発電パネルユニットの設置器具と、
を備えており、
前記太陽光発電装置の設置方法は、
太陽光発電装置の設置前に、既設の波形スレートの全面又は一部を補修又は強化する工程と、
前記補修又は強化作業後の波形スレートへ太陽光発電パネルユニットの設置器具を設置する工程と、
設置した太陽光発電パネルユニットの設置器具へ太陽光発電パネルユニットを取着する工程と、
を含み、
前記波形スレートの補修又は強化する作業を行う工程は、既設の波形スレートの全面又は一部への下地処理、プライマー塗布及び硬化剤塗布の各作業を含むことを特徴とする、
太陽光発電装置の設置方法。
【請求項７】
請求項６記載の太陽光発電装置の設置方法において、
太陽光発電パネルユニットと太陽光発電パネルユニットの設置器具との間の接続、
太陽光発電パネルユニットの設置器具とスレート屋根を構成する波形スレート又は天井壁或いは鉄骨との間の接続、
のいずれか又は両方について、脱落防止要素を備えた器具により各部材が接続されている、
太陽光発電装置の設置方法。
【請求項８】
請求項６又は７記載の太陽光発電装置の設置方法における、既設の波形スレートの補修又は強化する作業を行う工程において、
補修又は強化を行われる箇所が、
既設の波形スレートの全面、
波形スレート上の太陽光発電装置が設置される箇所又は該箇所を含む周辺部、
太陽光発電パネルユニットの設置器具が設置される箇所又は該箇所を含む周辺部、
架台部材が設置される箇所又は該箇所を含む周辺部、
架台部材に係る固定具を取着するために波形スレートに穿たれる孔の周辺部、
のいずれか又はこれらを組み合わせたものである、
太陽光発電装置の設置方法。
【発明の詳細な説明】
【技術分野】
【０００１】
本発明は、太陽光発電パネルユニットの設置器具及び該設置器具を用いた太陽光発電装置の設置方法に関する。
更に詳しくは、既設の石質系素材で形成された波形スレート（以下「波形スレート」ともいう）屋根への太陽光発電パネルユニットの設置に好適な設置器具及び該設置器具を用い且つ既設の石質系スレート屋根を補修又は強化（以下「補強」という）することにより、太陽光発電パネルユニットを含む太陽光発電装置を安全に設置することができる方法に関する。
【背景技術】
【０００２】
近年、地球温暖化防止の観点から太陽光発電が注目されており、また、平成２１年度から開始された「太陽光発電の余剰電力買取制度」により太陽光発電設備の一般への普及が見込まれている。
更に、東日本大震災に伴う原子力発電所事故を契機に原子力発電所の運転休止が相次いだため各地で電力不足が生じ、また、原子力発電推進政策自体の見直しによる中長期的な電力不足や電力料金上昇のおそれがあるため、これまで以上に事業所、工場等の各所で太陽光発電設備の導入又は導入の検討がなされている。
【０００３】
太陽光発電設備を工場等の屋根へ設置する際には、屋根の上に太陽光発電パネルを直接設置するのではなく、屋根と太陽光発電パネルの間に部材を配置することがあり、当該部材の一例として、特許文献１に示すような太陽光発電装置（「太陽光発電パネルユニット」ともいう）の取付装置が提案されている。
【０００４】
特許文献１に係る太陽光発電装置の取付装置は、太陽光発電装置を設置する架台と、架台をスレート屋根に接続する複数の固定具と、を備え、山部（凸部ともいう）と谷部（凹部ともいう）とを有する複数の隣接する波形スレート部材のスレート部材同士が重複していない山部の少なくとも一箇所に複数の固定具が取り付けられるように設けられている。
【先行技術文献】
【特許文献】
【０００５】
【特許文献１】特開２０１１−１５７７１３号
【発明の開示】
【発明が解決しようとする課題】
【０００６】
特許文献１に係る太陽光発電装置の取付装置は、スレート屋根２の上に架台５が取り付けられ、架台５上の横断方向に設置フレーム３１が取り付けられ、設置フレーム３１上に太陽光発電装置９が取り付けられた構造となっているが、設置フレーム３１がＣチャンネル部材で形成され且つＣチャンネル部材の開口部が設置フレームの側方側に位置している場合（特開２０１１−１５７７１３号の図４参照）、強風や地震等の振動に起因して太陽光発電装置９が揺動すると設置フレーム３１の下側に荷重が掛かり、当該部分が接する架台が撓みやすいか又は撓んで変形する可能性があり、ひいては太陽光発電装置９の破損にも繋がる可能性もある。
【０００７】
一方、太陽光発電装置の設置方法については、特許文献１において開示されているように、工場等の屋根として波形スレート部材が広く使用されており、なかでも、繊維等とセメントを練り混ぜて成形された人工の波形スレートは、軽量で加工が容易であり、比較的安価であるため、広く使用されている。
【０００８】
しかし、既設の前記波形スレートは、雨や日光等の影響あるいは経時的硬化によるセメントの収縮等の原因による経年劣化によって脆くなっている場合があり、このような場合に屋根上に上がって設置作業を行うと、波形スレートの踏み抜きや破断のおそれがあり、危険である。また、設置作業自体は無事に終わったとしても、取付装置の固定具取着の為に穿った孔の周辺の強度が低下したり、劣化している波形スレートが太陽光発電装置の重量に耐えられずに一部破損したり破断したりする可能性もある。
【０００９】
他方で、太陽光発電装置の設置の際に、より強度の高い新しい波形スレートや金属製のスレートに葺き変えるという方法も考えられるが、特に工場等の大規模建物においては、太陽光発電装置導入に伴う費用負担に加えてそのような工事を行うことは施主側の経済的負担が大きく、また、葺き替え工事が行われる建物内の作業も安全のため休止することがあり、この場合、施主側へ更なる経済的負担が発生することもある。
【００１０】
（発明の目的）
そこで、本発明の目的は、太陽光発電パネルユニットと該太陽光発電パネルユニットを設置するためのフレーム（以下「パネルフレーム」という）が揺動して架台部材へ荷重が掛かった際に、架台部材における荷重が掛かる箇所の撓み或いは変形を防止又は抑制することで、太陽光発電パネルユニット及び架台部材の破損防止を図り、更に、封止部等を備える固定具によって架台部材の固定具の挿通孔を水密とし、該挿通孔から屋内へ雨水等が染み入ることが防止又は抑制される、太陽光発電パネルユニットの設置器具を提供することにある。併せて、本発明の目的は、設置作業時において、フレキシブルな位置調整を可能とする太陽光発電パネルユニットの設置器具を提供することにある。
【００１１】
本発明の目的は、前記設置器具を用い、且つ、工場等の建物においてその屋根を構成している既設の波形スレート屋根を補強することにより、波形スレートを引き続き利用し且つ安全に屋根上へ太陽光発電装置を設置する方法を提供することにある。
【００１２】
また、本発明の目的は、各部材間の脱落を防止することで、太陽光発電装置の屋根への設置の安定性が期待できる、太陽光発電装置の設置方法を提供することにある。
【００１３】
更に、本発明の目的は、前記波形スレートの補強を所要箇所のみ行うことで、作業面積減による施主側の経済的負担軽減、作業時間短縮も期待できる、太陽光発電装置の設置方法を提供することにある。
【課題を解決するための手段】
【００１４】
上記目的を達成するために講じた本発明の手段は次のとおりである。
（１）本発明は、石質系素材で形成された波形スレートが敷設された屋根へ、太陽光発電パネルユニット及び該太陽光発電パネルユニットを支持するパネルフレームを取り付ける作業に用いる設置器具であって、該太陽光発電パネルユニットの設置器具は、波形スレート上へ設置する架台部材と、該架台部材を波形スレートが敷設された屋根に接続するために使用される複数の固定具と、を備えており、前記架台部材は、板状の天板部と、前記天板部の周縁に設けられ、波形スレート上に架台部材を設置した際に、波形スレートのいずれかの箇所と当接又は係合するズレ防止部と、前記天板部上面に突出するパネルフレーム取付体と、前記天板部のパネルフレームと当接する箇所に設けられた補強部と、架台部材のいずれかの箇所に設けられた固定具の挿通孔と、を備えており、前記補強部は、パネルフレームが揺動した際の架台部材の撓みを防止すべく、天板部の他の部分よりも肉厚であるか又は補強要素を付加して形成されており、前記の各固定具は、ネジ部材と、該ネジ部材と一体となった封止部又は該ネジ部材と分離可能な封止体と、を備え、波形スレートが敷設された屋根への螺着に伴って、封止部又は封止体が天板部上面側へ押圧され、架台部材に設けられた固定具の挿通孔及びその周辺と当接して固定具の挿通孔を水密にするように構成されている、太陽光発電パネルユニットの設置器具である。
【００１５】
（２）本発明は、石質系素材で形成された波形スレートが敷設された屋根へ、太陽光発電パネルユニット及び該太陽光発電パネルユニットを支持するパネルフレームを取り付ける作業に用いる設置器具であって、該太陽光発電パネルユニットの設置器具は、波形スレート上へ設置する架台部材と、該架台部材を波形スレートが敷設された屋根に接続するために使用される複数の固定具と、を備えており、前記架台部材は、板状の天板部と、前記天板部の周縁に設けられ、波形スレート上に架台部材を設置した際に、波形スレートのいずれかの箇所と当接又は係合するズレ防止部と、前記天板部に形成されたパネルフレーム取付体の挿通孔と、前記挿通孔に挿入され、架台部材から着脱可能なパネルフレーム取付体と、前記天板部上面へ着脱可能に設けられた補強部材と、前記架台部材のいずれかの箇所に設けられた固定具の挿通孔と、を備えており、前記パネルフレーム取付体の挿通孔は、挿入後のパネルフレーム取付体が移動して位置調整が可能な形状に形成されており、前記パネルフレーム取付体は、ネジ部材であって、前記パネルフレーム取付体の挿通孔に挿入されて天板部の底面側から上面側へネジ部分が突出するように取着され、前記補強部材は、中央部にパネルフレーム取付体のネジ孔が形成された板状体であって、その寸法がパネルフレームが載置された際に当接した該パネルフレーム底部の短手方向よりも幅広であって、且つ、天板部へ取着した際に該補強部材が重なった箇所の厚みが天板部の他の上面よりも厚くなるように設けられており、パネルフレーム取付体を、天板部の底面側からパネルフレーム取付体の挿通孔に挿入し且つ補強部材のネジ孔に螺合させて固く締着させることによって天板部上面におけるパネルフレーム取付体及び補強部材の取付位置が固定でき、また、締着を緩めた際にはパネルフレーム取付体の挿通孔に沿ってパネルフレーム取付体及び補強部材をスライドさせることによってパネルフレーム取付体及び補強部材の位置調整が可能に構成されており、前記の各固定具は、ネジ部材と、該ネジ部材と一体となった封止部又は該ネジ部材と分離可能な封止体と、を備え、波形スレートが敷設された屋根への螺着に伴って、封止部又は封止体が天板部上面側へ押圧され、架台部材に設けられた固定具の挿通孔及びその周辺と当接して固定具の挿通孔を水密にするように構成されている、太陽光発電パネルユニットの設置器具である。
【００１６】
（３）前記（１）又は（２）の発明は、ズレ防止部が、天板部の周縁のうち対向する一対の縁部が天板の水平面よりも下り傾斜する形状であって、波形スレート上に架台部材を設置した際に、各ズレ防止部が波形スレートの傾斜部分と当接するように構成されているものであってもよい。
【００１７】
（４）前記（１）又は（２）の発明は、パネルフレームを備えた、請求項１又は２記載の太陽光発電パネルユニットの設置器具であって、前記パネルフレームは、各架台部材の天板部上に載置され且つ各架台部材の短手方向へ横架して取着される棒状体であって、該パネルフレームのいずれかの箇所に前記パネルフレーム取付体を取着可能な取付孔が形成され、該取付孔は挿入後のパネルフレーム取付体が移動して位置調整が可能な形状に形成されているものであってもよい。
【００１８】
前記（１）乃至（４）の発明に係る太陽光発電パネルユニットの設置器具は、まず、屋根へ敷設された波形スレート上へ架台部材を載置する場所を決定し、該箇所へ架台部材を配置したら、複数の固定具により架台部材を波形スレートへ（あるいはその波形スレートを支える梁等の屋根構成材も含めて）ネジ留めして固定する。同様にして架台部材を複数箇所に設置する。
【００１９】
このとき、前記固定具の螺着に伴って、該固定具の封止部又は封止体が固定具軸部の先部側へ押圧され、架台部材に設けられた固定具の挿通孔及びその周辺と当接して固定具の挿通孔を水密にする。これにより、架台部材に設けられた固定具を挿入するための挿通孔から屋内へ雨水等が染み入ることを防止又は抑制する。
【００２０】
次いで、各架台部材へパネルフレームを取着する。パネルフレームは、各架台部材の天板部上に載置され且つ各架台部材の短手方向へ横架して取着し、その際にパネルフレームの取付孔へ架台部材の天板部上面に設けられたパネルフレーム取付体を挿入してパネルフレームを取着する。そして、該パネルフレームへ太陽光発電パネルユニットを取着する。なお、各架台部材とパネルフレームの仮組は地上で行うこともある。
【００２１】
前記（１）乃至（４）の発明に係る太陽光発電パネルユニットの設置器具は、振動や強風により太陽光発電パネルユニットが揺動し、該太陽光発電パネルユニットが取着されたパネルフレームへ荷重が掛かった際に、該荷重を補強部又は補強部材が支持することによって、パネルフレームと架台部材の当接箇所が撓まないか又は撓みにくくなる。
【００２２】
前記（２）の発明は、パネルフレーム取付体を天板部の底面側からパネルフレーム取付体の挿通孔に挿入し、天板部上面へ突き出た該パネルフレーム取付体を補強部材のネジ孔に螺合させて固く締着させることで、天板部上面におけるパネルフレーム取付体及び補強部材の取付位置が固定できる。他方、前記締着を緩めてパネルフレーム取付体の挿通孔に沿ってパネルフレーム取付体及び補強部材を移動させ、取付体及び補強部材をパネルフレームの取り付けに適した位置に調整しうる。
【００２３】
更に、前記（４）の発明は、架台部材とパネルフレームを取着する際に、当初予測よりもパネルフレーム取付体とその取付孔の位置が多少ずれていたとしても、該取付孔は挿入後のパネルフレーム取付体が移動して位置調整が可能な形状に形成されているので、該取付孔又は挿入孔に沿ってパネルフレーム又は架台部材又はその両方をスライドさせることで、フレキシブルな位置調整が可能となる。また、前記（２）の発明との組み合わせにより、パネルフレーム或いは架台部材の設置作業において、よりフレキシブルな位置調整が可能となる。
【００２４】
前記（３）の発明は、波形スレート上に架台部材を載置すれば、前記形状の各ズレ防止部が波形スレートの傾斜部分と当接して、ズレ防止効果を奏する。
【００２５】
（５）前記（１）乃至（４）のいずれかの発明は、固定具の挿通孔は、架台部材の天板部に設けられ、該固定具の挿通孔は挿入後の固定具が移動して位置調整が可能な形状に形成されているものであってもよい。
【００２６】
前記（５）の発明では、架台部材を波形スレート屋根に設置する際に、太陽光発電パネル間のクリアランス等の理由から当初予測よりもパネルフレーム或いは架台部材を設置する位置の調整が必要になった場合に、固定具の挿通孔が前記形状であるので、該孔に沿って架台部材を移動させて、架台部材の設置位置を調整しうる。
特に、前記（２）又は（４）の発明との組み合わせでは、パネルフレーム或いは架台部材の設置作業において、各部材に形成された孔の方向の組み合わせによって、各部材について、よりフレキシブルな位置調整が可能となる。
【００２７】
（６）本発明は、石質系素材で形成された波形スレートにより構成された既設の屋根への太陽光発電装置の設置方法であって、前記太陽光発電装置は、太陽光発電パネルユニットと、太陽光発電パネルユニットと屋根の間に配置されて太陽光発電パネルユニットを波形スレート上に取着する（１）乃至（５）のいずれかの発明に係る太陽光発電パネルユニットの設置器具と、を備えており、前記太陽光発電装置の設置方法は、太陽光発電装置の設置前に、既設の波形スレートの全面又は一部を補修又は強化する工程と、前記補修又は強化作業後の波形スレートへ太陽光発電パネルユニットの設置器具を設置する工程と、設置した太陽光発電パネルユニットの設置器具へ太陽光発電パネルユニットを取着する工程と、を含み、前記波形スレートの補修又は強化する作業を行う工程は、既設の波形スレートの全面又は一部への下地処理、プライマー塗布及び硬化剤塗布の各作業を含むことを特徴とする、太陽光発電装置の設置方法である。
【００２８】
前記（６）の発明に係る太陽光発電装置の設置方法によれば、既設の波形スレートを補強し、その上で太陽光発電装置を設置する。このため、設置作業の際又は設置後の前記波形スレートの破損或いは破断が防止されるか又はその危険性が低減される。また、既設の前記波形スレートを利用するので、新しいスレートに葺き変える必要がなく、施主側の経済的負担が軽減される。
【００２９】
（７）前記（６）の発明は、太陽光発電装置の設置方法において、太陽光発電パネルユニットと太陽光発電パネルユニットの設置器具との間の接続、太陽光発電パネルユニットの設置器具とスレート屋根を構成する波形スレート又は天井壁或いは鉄骨との間の接続、のいずれか又は両方について、脱落防止要素を備えた器具により各部材が接続されているものであってもよい。
【００３０】
前記（７）の発明では、脱落防止要素を備えた器具により、各部材間の脱落が防止され、ひいては太陽光発電装置の屋根への設置の安定性が期待できる。
【００３１】
（８）前記（６）又は（７）の発明は、既設の波形スレートの補修又は強化する作業を行う工程において、補修又は強化を行われる箇所が、既設の波形スレートの全面、波形スレート上の太陽光発電装置が設置される箇所又は該箇所を含む周辺部、太陽光発電パネルユニットの設置器具が設置される箇所又は該箇所を含む周辺部、架台部材が設置される箇所又は該箇所を含む周辺部、架台部材に係る固定具を取着するために波形スレートに穿たれる孔の周辺部、のいずれか又はこれらを組み合わせたものであってもよい。
【００３２】
前記（８）の発明では、既設の波形スレートの全面を補強する場合のみならず、該波形スレートの所要箇所（例えば、健全部分を除いた劣化箇所のみ或いは穿孔等により強度低下が予想される箇所）を補強する場合についても、設置作業の際又は設置後の該波形スレートの破損或いは破断の防止又は危険性の低減が期待できる。更に、作業面積減による施主側の経済的負担軽減、作業時間短縮も期待できる。
【００３３】
本明細書及び本願の特許請求の範囲にいう「石質系素材で形成された波形スレート」は、例えば、繊維等と石質系の基材（セメント、珪酸カルシウム、石膏等）を練り混ぜ、横断方向に凸部と凹部が連続するように成形された波形の人工スレートを指す意味で使用している。
【００３４】
本明細書及び本願の特許請求の範囲にいう「太陽光発電パネルユニット」は、例えば、複数のセル（太陽電池の単体の素子）を直列又は並列接続して樹脂や強化ガラス又は金属枠等で保護したものであって、「モジュール」とも呼ばれ、ストリング（パネル又はモジュールを複数枚数並べて直列接続したもの）、アレイ（ストリングを並列接続したもの）も含む意味で使用しており、また、これらに加えて、蓄電池やパワーコンディショナー等の太陽光発電において使用する機器又は部材を含むものであってもよい。
なお、本明細書（〔背景技術〕及び〔発明が解決しようとする課題〕の記載を除く。）及び本願の特許請求の範囲にいう「太陽光発電装置」は、太陽光発電パネルユニット及び該太陽光発電パネルユニットの設置器具を組み合わせたものを示す意味で使用している。
【００３５】
本明細書及び本願の特許請求の範囲にいう「封止部又は封止体」としては、例えば、ゴム、合成樹脂等の可撓性又は弾性を有する素材により形成されたリング状又は穴あき円盤状のものが好適に使用されるが、これに限定するものではなく、架台部材に設けられたネジ孔へ当接して該当接部分を水密にすることができれば、その形状或いは素材を限定するものではない。
【００３６】
本明細書及び本願の特許請求の範囲にいう「架台部材」は、少なくともその幅（短手方向）がスレートの１ピッチ分（スレートの波の一山、凸部を含む凹部の底部から凹部の底部迄。）以上であって、２ピッチ以上であれば、天板部の底面が２条以上の凸部により支持されるので安定性が増して好ましい。
【００３７】
本明細書及び本願の特許請求の範囲にいう架台部材の「ズレ防止部」は、波形スレート上に架台部材を設置した際に、波形スレートのいずれかの箇所と当接又は係合するように構成されているが、当該説明における「当接」の語は、ズレ防止部とスレートの傾斜部分との大部分が当接する場合と、ズレ防止部とスレートの傾斜部分との一部が当接する場合のいずれの場合も含む意味で使用しており、また、「係合」の語も、ズレ防止部と架台部材下に位置するスレートの山部或いは谷部との大部分が係合する場合と、ズレ防止部と架台部材下に位置するスレートの山部或いは谷部との一部が当接する場合のいずれの場合も含む意味で使用している。
【００３８】
また、前記ズレ防止部は、例えば、天板部の周縁のうち対向する一対の縁部が天板の水平面よりも下り傾斜するように設けられ、スレート上に架台部材を設置した際に、各ズレ防止部がスレートの傾斜部分と当接するように構成されているが、これに限定するものではなく、例えば、架台部材の短手方向（即ちスレートの幅方向）にスレートの波形に係合するような形状のズレ防止部を形成する構成であってもよいし、また、該構成のズレ防止部と本実施の形態におけるズレ防止部の両方（即ち架台部材の長手方向及び短手方向のいずれにも）を備える構成であってもよい。
【００３９】
本明細書及び本願の特許請求の範囲において波形スレートの補強作業で塗布される硬化剤としては、例えば、石質系波形スレート内部に浸透して硬化するウレタン系樹脂又はエポキシ系樹脂の液状塗剤が挙げられるが、これに限定するものではなく、同様の作用を奏する他の液状塗剤を用いることもできる。
【００４０】
本明細書及び本願の特許請求の範囲にいう脱落防止要素を備えた器具としては、例えば、ナットと一体化したスプリングの特性によりナットの緩み・脱落が防止されるハイパーロードナット（株式会社ＫＨＩ製、登録商標）、通常形状のボルトの余長部分に取り付けることでナットの緩み・脱落が防止されるハイパーロードスプリング（株式会社ＫＨＩ製、登録商標）が好適に使用されるが、これに限定するものではなく、同等の効果を奏する部材であれば特に限定されない。
【００４１】
本明細書及び本願の特許請求の範囲にいうパネルフレームに設けられた取付孔、架台部材に設けられたパネルフレーム取付体の挿通孔、架台部材に設けられた固定具の挿通孔、については、例えば、天板部の長手方向または／および短手方向に延びた長孔であってもよいし、十字状の孔、中心部から放射状に複数の経路が形成された孔等、挿入後のパネルフレーム取付体又は固定具が移動して位置調整が可能な形状に形成されていれば特に限定するものではない。
【００４２】
本明細書及び本願の特許請求の範囲にいう「塗布」は、吹き付け又は塗装用ローラーその他器具による塗布等の公知の手段によるものを含む意味で使用している。
【発明の効果】
【００４３】
本発明に係る太陽光発電パネルユニットの設置器具によれば、太陽光発電パネルユニットの揺動によって架台部材とパネルフレームへ荷重が掛かった際に、補強部又は補強部材の存在により架台部材における荷重が掛かる箇所が撓まないか又は撓みにくくなり、該架台部材の変形が防止又は抑制されるので、太陽光発電パネルユニット及び架台部材の破損防止を図ることができる。
また、封止部又は封止体を備える各固定具によって、架台部材の固定具の挿通孔が水密となり、該挿通孔から屋内へ雨水等が染み入ることを防止又は抑制される。
【００４４】
前記（３）の発明によれば、構造及び加工が容易なズレ防止部の形状でありながら、架台部材の効果的なズレ防止が期待できる。
【００４５】
また、挿入後のパネルフレーム取付体又は固定具が移動して位置調整が可能な形状に形成されている、パネルフレームに設けられた取付孔、架台部材に設けられたパネルフレーム取付体の挿通孔、架台部材に設けられた固定具の挿通孔、のいずれか又はこれらの組み合わせを備えた太陽光発電パネルユニットの設置器具によれば、設置作業時において、これらの孔の方向の組み合わせによって、各部材についてフレキシブルな位置調整が可能となる。
【００４６】
また、本発明に係る太陽光発電装置の設置方法によれば、既設の石質系素材で形成された波形スレートを補強した上で太陽光発電装置を設置するので、新しいスレートに葺き変える必要がなく、施主側の経済的負担が軽減される。また、既設の前記波形スレートが補強されているので、設置作業の際又は設置後の該波形スレートの破損又は破断を防止するか又は危険性を低減させ、更に、波形スレートの強度が増すことにより太陽光発電装置自身の揺動を起因とする破損防止を図ることができる。
【００４７】
前記（７）の発明によれば、脱落防止要素を備えた器具によって各部材間の脱落が防止され、ひいては太陽光発電装置の屋根への設置の安定性が期待できる。
【００４８】
前記（８）の発明によれば、波形スレートの全面ではなく、所要箇所について補強する場合についても、設置作業の際又は設置後の該波形スレートの破損或いは破断の防止又は危険性の低減が期待できる。更に、作業面積減による施主側の経済的負担軽減、作業時間短縮も期待できる。
【図面の簡単な説明】
【００４９】
【図１】既設の波形スレート屋根上へ太陽光発電装置が設置された状態を示す斜視図。
【図２】本発明に係る設置器具の斜視図。
【図３】図１に示す設置器具に固定具を加えた分解斜視説明図。
【図４】図３の固定具の分解斜視説明図。
【図５】本発明に係る設置器具を用いて、波形スレート屋根上に太陽光発電パネルを設置した状態を示す正面視説明図。
【図６】波形スレート屋根上に設置した設置器具へ、一点鎖線で表したパネルフレームが取着される状態を示す説明図。
【図７】補強後の波形スレート屋根上へ太陽光発電装置が設置された状態の図（ａ）、該波形スレートの構成を便宜的に示した図（ｂ）、該波形スレートの構成を断面的に示した図（ｃ）からなる説明図。
【発明を実施するための形態】
【００５０】
本発明の実施の形態を図１〜図６に基づき更に詳細に説明する。
本実施の形態における設置器具１は、架台部材１０及びパネルフレーム２を備えており、石質系素材により形成された波形スレートＳが敷設された屋根（以下、単に「スレート屋根」ということもある）に太陽光発電パネルユニットＰを設置する作業に用いるものである（図６参照）。
更に詳しくは、前記設置器具１は、スレート屋根上へ架台部材１０を複数個を並べて設置するものであって、各架台部材１０上へパネルフレーム２を架け渡すように取り付け、パネルフレーム２へ太陽光発電パネルユニットＰを設置するものである。
設置器具１の各部材の詳細については以下で説明する。
【００５１】
〔架台部材〕
架台部材１０は、架台本体１０１と、パネルフレーム取付体であるパネルフレーム取付ボルト１３０、補強部材１４０、固定具１５０と、を備えており（図３参照）、前記各部材の詳細については以下で説明する。
【００５２】
（架台本体）
架台本体１０１は、長方形の金属板により形成されており、架台本体１０１の長手方向中央に位置する平板状の天板部１１０と、該天板部の周縁に設けられたズレ防止部１２０と、により構成されている（図２及び図３参照）。
なお、本実施の形態において架台本体は前記素材により形成されているが、他の公知素材（例えば、合成樹脂、繊維強化プラスチック等）により形成してもよい。
【００５３】
天板部１１０は、架台本体１０１のうち、前記ズレ防止部１２０を除く平面部分であり、天板部１１０の中央に形成されたパネルフレーム取付ボルト挿通孔１１１と、該天板部１１０の四隅近傍に形成された複数の固定具挿通孔１１２と、が設けられている。
【００５４】
パネルフレーム取付ボルト挿通孔１１１は、長孔状に形成されており、該孔の長手方向と架台本体１０１の短辺側の縁部とが並行になるように形成されている。
【００５５】
各固定具挿通孔１１２は、長孔状に形成されており、天板部１１０の四隅近傍に２つを１セットとして（合計８つ、４セット）設けられており、該孔の長手方向と架台本体１０１の長辺側の縁部とが並行になるように形成されている。架台本体１０１の各隅近傍にそれぞれ形成された１セット（２つ）の各固定具挿通孔１１２は、所要間隔を開けて、架台本体１０１の長手方向に並んで配置されている。
【００５６】
ズレ防止部１２０は、天板部１１０の周縁のうち長手方向の各縁部に設けられている。各ズレ防止部１２０は、相対するように位置しており、水平面である天板部１１０よりも下り傾斜するように設けられている。また、ズレ防止部１２０の曲がり角度及び形状は、波形スレートＳ上に架台部材１０を設置した際に、各ズレ防止部１２０が波形スレートＳの傾斜部分と当接するか又は傾斜部分に沿うような角度及び形状に構成されている。
【００５７】
（パネルフレーム取付ボルト）
パネルフレーム取付ボルト１３０は、前記パネルフレーム取付ボルト挿通孔１１１に挿入して天板部１１０の底面側から上面側に突出するように取着されるものである。
【００５８】
パネルフレーム取付ボルト１３０は、頭部１３１と、軸部１３２と、軸部の頭部下の箇所に設けられた空転防止部１３３と、を備えている。該空転防止部１３３は、頭部又は軸部、あるいは頭部及び軸部、のいずれかに固着された所要厚みの四角の突出部であって、該空転防止部１３３の水平方向の幅は前記パネルフレーム取付ボルト挿通孔１１１の短辺側の幅と同じか又はほぼ同じに形成されている。
【００５９】
（補強部材）
補強部材１４０は、パネルフレーム２を載置した際にパネルフレーム２下面の幅（短手方向）よりも幅広となる寸法の正方形の金属板であって、天板部１１０上面へ着脱可能に設けられており、パネルフレーム取付ボルト１３０を螺着可能なネジ孔１４１が中央部に形成されている。
【００６０】
前記補強部材１４０は、パネルフレーム取付ボルト１３０を天板部１１０の底面側からパネルフレーム取付ボルト挿通孔１１１へ挿入させ且つ該ネジ孔１４１に螺合させて固く締着させることで天板部１１０上面での取付位置が固定できるように構成されている。また、補強部材１４０の締着を緩めた際には、パネルフレーム取付ボルト挿通孔１１１に沿ってパネルフレーム取付ボルト１３０及び該補強部材１４０をスライド移動させることができ、任意の位置で補強部材１４０を締着させることで、パネルフレーム取付ボルト１３０の位置調整が可能に構成されている。
【００６１】
なお、本実施の形態において補強部材は前記形状、素材により形成されているが、他の公知形状、公知素材により形成してもよい。
【００６２】
（固定具）
各固定具１５０は、六角ボルト頭とフランジ部を備える頭部１５１と、軸部１５２と、を備えるタッピングビス部分と、該ビスの軸部１５２に取着する座金１５３と、同じくビスの軸部１５２に取着するシール部材１５４と、を備えている（図３及び図４参照）。
なお、本実施の形態における固定具は、固定具と座金とシール部材が別部材であるが、これに限定するものではなく、各部材が一体型であってもよい。また、軸部はビスではなく、ボルトを使用することもできる。
【００６３】
本実施の形態においては、固定具の軸部はタッピングビスであるが、これに限定するものではなく、例えば、先が尖端でないボルト等であってもよい。また、固定具の軸部の長さは設置する屋根の構造により適宜変更してもよい。
【００６４】
座金１５３は、固定具１５０の頭部１５１下に配置され、固定具１５０の螺着に伴ってシール部材１５４をビスの軸部１５２の先部側へ押圧するように構成されている。なお、本実施の形態における座金はビスと別部材であるが、これに限定するものではなく、例えば、ビスの頭部下にフランジ状に形成する等、ビスと一体型のものであってもよい。
【００６５】
シール部材１５４は、透水性が無く且つ弾性を有する合成樹脂製であって、横断方向の中央部分にビスの軸部１５２を通す挿通孔を有する円筒状に形成されている。なお、本実施の形態におけるシール部材の素材及び形状は前記の通りであるが、これに限定するものではなく、架台部材に設けられた固定具挿通孔へ当接させた際に該当接部分を水密にすることが可能な材質、形状であれば、特に限定されない。
【００６６】
また、本実施の形態においては、防水のためのシール部材を固定具の軸部側に押圧する手段は固定具の頭部及び座金によるものであるが、これに限定するものではなく、例えば、固定具の頭部自体の基端側による押圧（頭部のみによる押圧）、頭部基端側に形成されたフランジ部による押圧、等であってもよい。
【００６７】
〔パネルフレーム〕
パネルフレーム２は、各架台部材１０の天板部１１０上に載置され且つ各架台部材１０の短手方向へ横架して取着される棒状体であって、Ｃチャンネル鋼材により形成されている。
【００６８】
前記パネルフレーム２は、設置時において下側となる面の所要箇所に、架台部材１０から突出したパネルフレーム取付ボルト１３０の取付孔（下部取付孔。図示及び符号省略）が所要数形成されており、また、設置時において上側となる面の所要箇所には、太陽光発電パネルユニットＰに使用する取付ボルト２０１の取付孔（上部取付孔。図示及び符号省略）が複数形成されている。該上部取付孔及び下部取付孔は、それぞれ長孔に形成されており、該各長孔の長手方向はパネルフレームの長手方向と一致するように形成されている。
【００６９】
本実施の形態において、パネルフレームは前記形状及び材質であるが、当該形状及び材質に限定するものではなく、例えば、形状は断面が山型、Ｚ型、Ｈ型、Ｉ型等の棒状体であってもよいし、材質は繊維強化プラスチック等の他の公知素材であってもよい。
【００７０】
本実施の形態において、前記の上部取付孔及び下部取付孔は、それぞれ長孔で形成されているが、通常の丸い孔であってもよい。
【００７１】
また、本実施の形態においては、パネルフレーム上部を太陽光発電パネルユニットの取付構造（太陽光発電パネルユニットの枠体に形成された孔とパネルフレームの上部取付孔の位置を合わせて取付ボルトにより取り付ける構造）に合わせた形状にしているが、当該態様に限定するものではなく、太陽光発電パネルユニットの取付構造に合わせて、合致する取付形状又は構造に変更してもよい。例えば、太陽光発電パネルユニットの取付構造が基部側が窄まったレール状の部材であって、パネルフレーム上部の形状が当該レール部材の形状に合致するように形成された取付溝であるような場合等である。
【００７２】
〔太陽光発電装置の設置方法〕
図１〜図７を参照して、設置器具１を使用した太陽光発電装置の設置方法を説明する。
なお、図７の説明図は、補強後の波形スレートＳ屋根上へ太陽光発電装置が設置された状態の図（ａ）と、該波形スレートＳの構成を便宜的に（積層構造であるため、表に表れない中間部分について円内に示している）示した図（ｂ）と、該波形スレートＳの構成を断面的に示した図（ｃ）と、からなるものである。
【００７３】
〔波形スレート補強工程〕
最初に、太陽光発電装置の設置場所である既設の屋根にある波形スレートＳを補強する作業を行う。本実施の形態において、補強作業は、石質系素材で形成された既設の波形スレートＳの全面への下地処理作業をし、次いでプライマーの塗布作業をし、最後に硬化剤の塗布作業をするものである。
【００７４】
（１）下地処理作業
補強前の波形スレートＳは、数年間屋外に設置された繊維等を含むセメントにより形成されたものであって、その表面に付着した苔や塵等が付着した劣化部Ｓ２が生じている。なお、劣化部Ｓ２よりも更に内奥は劣化状態にない健全部Ｓ１である（図７（ｃ）参照）。
このため、下地処理として、波形スレートＳ表面（前記劣化部Ｓ２）に付着した汚れや苔等を高圧洗浄機等により洗浄又は除去する。
【００７５】
（２）プライマーの塗布作業
前記洗浄作業後の波形スレートＳへ、スレート内部に浸透して硬化するプライマーを塗布する。該プライマーは、液状の塗剤であって、波形スレートＳの健全部Ｓ１及び劣化部Ｓ２の一部に達するまで浸透して硬化し、浸透したプライマーにより該浸透箇所が硬化する。この結果、プライマーの浸透箇所には、補強前の波形スレートよりも補強されて曲げ強度が向上し且つ表面の劣化部分が固められたプライマー浸透部Ｓ３が形成される（図７（ｃ）参照）。
【００７６】
なお、本実施の形態では、波形スレートＳ表面洗浄後にプライマーを塗布しているが、例えば浸透性等のプライマーの性質によっては、洗浄作業を行わずにそのままプライマー塗布を行ってもよい。
また、プライマーの塗布は、例えば、波形スレートを留める傘釘にプライマーを塗布してスレートへプライマーを塗布する、スレートへ数回プライマーを重ね塗りする等、数度にわたって行ってもよい。
【００７７】
（３）硬化剤の塗布作業
プライマー浸透部Ｓ３を覆うように、硬化剤を塗布する。なお、本実施の形態では、硬化剤として２種の塗剤を塗布し、プライマー浸透部Ｓ３上に塗布した塗剤によりコート部Ｓ４を形成し、コート部Ｓ４上に塗布した塗剤により表面部Ｓ５を形成する（図７（ｂ）及び（ｃ）参照）。
【００７８】
本実施の形態においては、コート部は、水蒸気透過性を有する無溶剤タイプの超高速硬化型ポリウレタン樹脂をスプレーマシンにより吹き付け塗布することにより形成される。該コート部により、曲げ強度及び防水性が向上する。なお、コート部については、前記素材又は施工方法に限定するものではなく、同等の効果を奏する他の公知素材又は公知技術によるものであってもよい。
【００７９】
本実施の形態においては、表面部は、耐水性及び耐候性を有する合成樹脂塗剤を塗布することにより形成される。なお、表面部については、前記素材又は施工方法に限定するものではなく、同等の効果を奏する他の公知素材又は公知技術によるものであってもよく、また、断熱性或いは熱反射性を有するものであってもよい。
【００８０】
本実施の形態における補強作業は前記の通りであるが、これに限定するものではなく、石質系素材で形成された波形スレートを補強する同等の効果を奏する他の公知技術によるものであってもよいし、また、補強箇所については全面にではなく、波形スレートの一部であってもよい。波形スレートの一部とは、例えば、設置器具が設置される箇所又はその周辺部、架台部材が設置される箇所又はその周辺部、固定具のために波形スレートへ穿たれる孔の周辺部、等が挙げられる。
【００８１】
〔太陽光発電装置の設置工程〕
前記補強後の波形スレートＳへ設置器具１を設置し、設置後の該設置器具１へ太陽光発電パネルユニットＰを取着する。
【００８２】
（１）架台部材１０を以下の手順で組み立てる。
最初に、架台部材１０の天板部１１０に形成されたパネルフレーム取付ボルト挿通孔１１１へ、パネルフレーム取付ボルト１３０を天板部１１０の底面側から上面側へ突出するように挿入する。このとき、パネルフレーム取付ボルト１３０の空転防止部１３３をパネルフレーム取付ボルト挿通孔１１１の短辺側の幅と嵌合するように取着することで、締着時のボルトの空転が防止される。
【００８３】
次に、天板部１１０上面側へ突出したパネルフレーム取付ボルト１３０の軸部１３２へ補強部材１４０（のネジ孔１４１）を螺合させ、補強部材１４０を天板部１１０上面側に締着させる。
【００８４】
なお、本実施の形態においては、組立前に架台部材１０の裏側へシールシート１１３を貼り付けており、該シールシート１１３は各固定具挿通孔１１２を塞ぐように配置して貼り付けられている。前記シールシート１１３は、架台部材１０の設置時において架台部材１０裏側と波形スレートＳの間に挟まれる形となって、後記する各固定具１５０を取着するために波形スレートＳへ形成した孔の隙間を塞ぎ、該箇所から屋内へ雨水等が染み入らないように設けるものである（図５参照）。なお、本実施の形態においては、シート状のシール部材を使用しているが、環状のパッキン等の公知部材を使用してもよい。
【００８５】
（２）架台部材１０を波形スレートＳへ以下の手順で設置する。
最初に、補強後の波形スレートＳ上へ架台部材１０を設置する箇所を決める。なお、設置にあたっては、天板部１１０に形成された各固定具挿通孔１１２が、波形スレートＳの山部上へ位置するようにし、かつ、各ズレ防止部１２０が波形スレートＳの山部と谷部の間の傾斜部分と当接するように配置する（図５参照）。
【００８６】
前記箇所へ架台部材１０を配置したら、複数の固定具１５０により架台部材１０を波形スレートＳへ固定する。より具体的には、各固定具挿通孔１１２と対応する箇所の波形スレートＳの山部へ複数の孔（本実施の形態においては、架台部材１つあたり４箇所）を穿ち、固定具１５０を天板部１１０上面側から固定具挿通孔１１２を通じて該波形スレートＳに形成された孔へ挿入又は嵌入することにより、架台部材１０を波形スレートＳへ固定する。
【００８７】
上記手順にて、必要数の架台部材１０を波形スレートＳへ設置する。
【００８８】
なお、本実施の形態おいて、固定具１５０先端は、波形スレートＳを下方から支持する屋根の梁材も貫通して固定することでより強固な固定を行っているが（図５参照）、当該態様に限定するものではなく、例えば単にスレートのみに固定するもの、スレート屋根を設置する天井壁又は鉄骨等の構造材に固定するもの等であってもよい。
【００８９】
（３）波形スレートＳ上へ固定された複数個の並設された架台部材１０に、パネルフレーム２を波形スレートＳの横断方向に架け渡すように取り付け、該パネルフレーム２へ太陽光発電パネルユニットＰを取り付ける。
【００９０】
このとき、パネルフレーム２は、パネルフレーム２の下部取付孔へパネルフレーム取付ボルト１３０を挿入して補強部材１４０上に載置する形で取り付けられ、脱落防止要素を備えた器具であるハイパーロードナットＮと座金１４２をパネルフレーム取付ボルト１３０の軸部１３２に取着及び螺着することにより、各架台部材１０へパネルフレーム２が取り付けられる（図５参照）。
【００９１】
次いで、パネルフレーム２の上部取付孔と太陽光発電パネルユニットＰの枠体に形成された孔（図示及び符号省略）の位置を合わせ、両孔に取付ボルト２０１を挿通させ、ハイパーロードナットＮにより締着する。これにより、パネルフレーム２と太陽光発電パネルユニットＰが取着される（図５参照）。
【００９２】
（作  用）
図１〜図７を参照して、設置器具１及び該設置器具１を使用した太陽光発電装置の作用を説明する。図１と図７は、設置器具１を用いた太陽光発電装置の設置状態を示している。
【００９３】
図７に示すように、石質系素材で形成された波形スレートＳを使用した施設の屋根上に太陽光発電装置を設置するにあたり、既設の前記波形スレートＳを複数層の塗剤で補強し（図７（ｂ）（ｃ）参照）、その上で太陽光発電装置を設置する。これにより、設置作業の際又は設置後の波形スレートＳの破損或いは破断が防止されるか又はその危険性が低減される。また、既設の波形スレートＳを利用するので、新しいスレートに葺き変える必要がなく、施主側の経済的負担が軽減される。
【００９４】
また、既設の波形スレートＳを引き続き使用することになるので、全面張替工事を行えば本来廃棄処分となるはずのスレートをそのまま利用することになり、結果として、このような廃棄物の発生を抑制し、ひいては、新たな産業廃棄物処分場等の開発の必要性を低減させ、環境負荷の低減に寄与する効果が期待できる。
【００９５】
また、各架台部材１０とパネルフレーム２の接続、パネルフレーム２と太陽光発電パネルユニットＰの接続について、脱落防止要素を備えたハイパーロードナットＮ及びボルトを使用しているので、各部材間の脱落が防止され、ひいては太陽光発電装置の屋根への設置の安定性が期待できる。
【００９６】
設置作業において、設置器具１は、パネルフレーム取付ボルト挿通孔１１１、固定具挿通孔１１２、パネルフレーム２の上部取付孔及び下部取付孔、のそれぞれが長孔に形成されているため、太陽光発電パネル間のクリアランス等の理由から当初予測よりもパネルフレーム或いは架台部材の取付位置調整が必要になった場合に、該長孔に沿って架台部材１１０、パネルフレーム取付ボルト１３０、パネルフレーム２又は取付ボルト２０１のいずれか又はこれらの組み合わせをスライドさせて、架台部材１０及びパネルフレーム２をある程度好適な配置となるようにフレキシブルな位置調整が可能となる。
【００９７】
設置後の太陽光発電装置は、台風による強風や地震による振動等によって太陽光発電パネルユニットＰが揺動することがある。
このような揺動が生じ、架台部材１０とパネルフレーム２へ荷重が掛かった際に、架台部材１０における荷重が掛かる箇所に補強部材１４０が配置されて該箇所について天板部１１０の他の部分よりも板厚が増して強度が上がっているため、架台部材１０が撓まないか又は撓みにくくなり、架台部材１０の変形が防止又は抑制される。ひいては、太陽光発電パネルユニットＰ及び架台部材１０の破損防止又は抑制が期待できる。
【００９８】
また、設置後の太陽光発電装置は雨雪に曝されることになるが、設置器具１は、架台部材１０の固定具挿通孔１１２及びその周辺と固定具１５０のシール部材１５４が当接して固定具挿通孔１１２の上面側開口部を水密にするので、固定具挿通孔１１２を通じて水が屋内に染み入ることが防止されるか又は抑制される。更に、本実施の形態では、架台部材１０の裏側へ貼り付けたシールシート１１３による相乗効果で更に防水性を向上し、また、架台部材１０と波形スレートＳとの間の隙間にシールシート１１３が位置することで、部材間のがたつきが低減する（図５参照）。
【００９９】
本明細書及び特許請求の範囲で使用している用語と表現は、あくまでも説明上のものであって、なんら限定的なものではなく、本明細書及び特許請求の範囲に記述された特徴およびその一部と等価の用語や表現を除外する意図はない。また、本発明の技術思想の範囲内で、種々の変形態様が可能であるということは言うまでもない。
【符号の説明】
【０１００】
Ｓ    波形スレート
Ｓ１    健全部
Ｓ２    劣化部
Ｓ３    プライマー浸透部
Ｓ４    コート部
Ｓ５    表面部
Ｐ    太陽光発電パネルユニット
Ｎ    ハイパーロードナット
１    設置器具
１０    架台部材
１０１    架台本体
１１０    天板部
１１１    パネルフレーム取付ボルト挿通孔
１１２    固定具挿通孔
１１３    シールシート
１２０    ズレ防止部
１３０    パネルフレーム取付ボルト
１３１    頭部
１３２    軸部
１３３    空転防止部
１４０    補強部材
１４１    ネジ孔
１４２    座金
１５０    固定具
１５１    頭部
１５２    軸部
１５３    座金
１５４    シール部材
２    パネルフレーム
２０１    取付ボルト
【図１】
0005770623.tif 000002
【図２】
0005770623.tif 000003
【図３】
0005770623.tif 000004
【図４】
0005770623.tif 000005
【図５】
0005770623.tif 000006
【図６】
0005770623.tif 000007
【図７】
0005770623.tif 000008